(57)【要約】【課題】泥棒が施錠した扉をコジ開けした時に発報するコジ開け信号が、コジ開けが成功して扉を開けた後に発報する。コジ開け成功前に信号を発報するものが無い。これでは扉が開いて警報が発報しても、泥棒が急いで室内に入って物を盗んで逃走する事ができる。コジ開けを開始したら発報し、その後も簡単に扉が開かない事で泥棒がコジ開けをあきらめ、防犯効果が有る。【解決手段】錠受け内にコジ開け警報スイッチを設け、錠受けの受け穴にバンパーを組み合わせ、施錠した扉が開く方向に一定以上の力が加わるとバンパーがデットボルトに押されて曲がり、警報スイッチがＯＮとなる錠受けで、錠受け本体はその時点まで無傷で、その後も強固にコジ開けに耐えるコジ開け警報錠受けを提供する。【選択図】　図３
2004044099.tif 000002
【特許請求の範囲】
【請求項１】
錠受け内に扉が開く方向に反応するコジ開け警報スイッチ（２１）を設け、錠受けの受け穴にバンパー（１４）を組み合わせ、扉が開く方向に扉に一定以上の力が加わると受け穴に入っているデットボルト（１９）に押されてバンパーが曲がり、又はつぶれ、又はスライドし、警報スイッチのプッシャー（２２）がバンパーあるいはデットボルトに押されて警報スイッチがＯＮとなり、錠受けはバンパー以上の強度を設けてある為に扉が開かずに警報を発する事が特徴のコジ開け警報錠受け。
【請求項２】
電池（７５）とブザー（７６）を併せ持つ請求項１記載のコジ開け警報錠受け。
【発明の詳細な説明】
【０００１】
【発明の属する技術分野】
扉のコジ開けを受けた時に、錠受けに一定以上の力が加わると扉が開く事無く警報を発する錠受けに関する。
【０００２】
【従来の技術】
従来の技術で施錠した扉のコジ開けを感知する技術は、錠本体に施錠確認スイッチと扉開閉確認スイッチを設け、施錠スイッチがＯＮの状態で扉開スイッチがＯＮとなった時をコジ開けられたと判断するものだけである。
【０００３】
【発明が解決しようとする課題】
従来の技術では、扉を開けた状態で錠のキーやサムターンを回してデットボルトを突き出せば錠の施錠スイッチがＯＮとなり、錠の扉開スイッチは扉が開いている為にＯＮとなる。つまり本来のコジ開けで無い状態でもコジ開けと判断される。
また、施錠した状態でコジ開けられた時に、コジ開けが成功し、扉が開いた後に発信される扉開信号を受けてコジ開けと判断する為に防犯効果が小さい。コジ開けられた後で警報を受けても警備員が現場に着いた時には泥棒は仕事を終えて帰った後になってしまう。
コジ開けにあったらコジ開けが成功する前に警報を発し、それから扉が開くまでに錠が頑強に耐えてこそ本来の防犯効果が有る。警報が鳴り出した中でいつコジ開けが成功するか知れない状態でコジ開けを続ける泥棒はいない。
【０００４】
【課題を解決するための手段】
コジ開けを判断する方法は、扉が開く方向に錠受けとデットボルトの間にどれだけの力が加わったかを感知する事に依る。これを感知するものが錠受けの受け穴に組み合わせたバンパーである。バンパーがつぶれ、又は曲がり、又はスライドした事でコジ開けと判断する。そのコジ開け状態をバンパー又はデットボルトがスイッチを作動させる事で知る仕組みである。バンパーがつぶれ、又は曲がっても錠受けの強度はそれ以上に作ってある為に錠受けに被害は無く、扉が開く事無く警報を発することができる。
【０００５】
【発明の実施の形態】
図に基づいて説明する。扉と枠の断面は見易いように黒く塗りつぶしてある。図２がコジ開け警報錠受けを枠に取り付けた斜視図である。図１がその枠に扉を閉じて施錠した斜視図である。図３が図１のＡＡ断面である、Ａが通常状態で、Ｂがコジ開けを受けバンパー（１４）が曲がり、警報スイッチ（２１）のプッシャー（２２）を押して警報スイッチがＯＮになった状態を示す。この状態で錠受け本体（１７）は被害を受けておらずこの後もコジ開けに対して頑強に耐える事ができる。
泥棒が、施錠された扉のコジ開けに着手した時点で警報ベルが鳴り、照明が点灯したら、いつコジ開けが完了するかわからない状態でコジ開け作業を続ける事はできない。ベルが鳴ったら警備員が駆けつけるまでの間に逃げる必要がある。ベルが鳴っている中で気にしながらコジ開け作業を続ける事はできない。ベルが鳴り出しても扉が開かない事で防犯の目的を果たす事ができる。
【０００６】
コジ開け警報錠受けのトロカバー（１８）の一面を取り去り、内部が見えるようにした後方からの斜視図が図４である。Ａはコジ開け警報錠受けのセットである。Ｂは錠受け本体（１７）からバンパー（１４）の付いたコジ開けストライク（１１）を離した図である。バンパーは錠受け本体に取り付けても良く、図のようにコジ開けストライクに設けて錠受け本体に組み合わせても良い。図６はバンパー（４０）を錠受け本体（３８）に設けた変形例である。図７はバンパー（４６）をトロカバー（４４）に設けた変形例である。
図９はコジ開けストライク（５９）がスライドするものであり、スライド機構を説明するのが図１０である。仕組みは錠受け本体（５８）とコジ開けストライク（５９）を分け、枠にビス止めして取り付ける事で、扉が開く方向に圧力を受けるとコジ開けストライクのビス穴（６８）に設けたスライド溝（６９）にビスが入り、コジ開けストライクが錠受けに対してスライドする。
バンパーがコジ開け警報スイッチのプッシャーを押すものが図１、図５、図６、図７であり、デットボルトがプッシャーを押すものが図８と図９である。デットボルトでプッシャーを押すものではコジ開けの圧力が無くなれば押す力が無くなり、警報発信が停止する。
【０００７】
また、コジ開け警報錠受けに施錠確認の為のスイッチを追加して取り付ける場合には、図３、図４のように施錠確認スイッチ（２３）を錠受け内に追加して取り付ければ良い。施錠確認スイッチは従来のスイッチストライクで従来技術である。施錠した時に錠受けの奥に設けたスイッチをデットボルトが押す事でスイッチがＯＮとなり信号を発する。デットボルト（１９）が錠受けの受け穴に入っているか否かで施錠と解錠を判断するものである。スイッチを追加する事で施、解錠の確認とコジ開けの確認を１個の錠受けから得る事ができる。
コジ開け警報スイッチに電池とブザーを併せ持つ請求項２記載の錠受けを説明するのが図１２である。電池とブザーは錠受けと一体になっていれば良く、錠受けの上下や横に組み付けても良い。コジ開けにあう機会は年に一度有るか無いかであり、電池の消耗を気にすることは無い。
錠受けから信号を取る従来のスイッチストライクに電池やブザーを組み込んだものが見られないのは、施錠状態か解錠状態を知るスイッチの為である。錠は常に施錠状態か解錠状態にあり、常に状態が続く為にすぐに電池が消耗してしまうので電源に電池を使うには無理がある為である。
請求項２記載の電池（７５）とブザー　（７６）を持つコジ開け警報錠受けは、コジ開けにあった時だけ働くのでコジ開けにあわなければ２〜３年に一度電池を換えれば良い。また、配線の必要が無いので既存の錠の錠受けと付け替えて使用する事も可能で非常に利用価値が高い。外部へ信号を出力する事も可能だが、出力しなくても泥棒は警報が鳴れば外部へ信号が行ったかもしれないと思い、コジ開けをあきらめて逃げる事となり、非常に防犯性が高い。
コジ開けにあった場合は電池が無くなるまでブザーが鳴り続けるので、錠受けを外して電池を取り換える必要がある。錠受けを外さないで取り換える構造にすると、電池ケースを錠受けとは別の位置に設ける必要が生じ、その為の枠や壁の加工が必要となる。
【０００８】
【発明の効果】
従来のコジ開け信号や開扉信号では、泥棒が施錠した扉のコジ開けを行った時に、コジ開けが成功して扉が開いた後に警報が鳴り出す。その為に泥棒が急いで室内を探して逃走する事が可能である。
本発明のコジ開け警報錠受けを取り付けた扉では、泥棒がコジ開けを開始するとバンパーが曲がった時点で警報が鳴り出す。その時点で錠受け本体に被害は及んでいない。泥棒は警報が鳴っている状態でコジ開け作業を続ける事はできずに、コジ開けをあきらめて逃走する。よって防犯効果は大きい。
曲がったバンパーの復旧はペンチ等を使ってバンパーを曲げ戻すか、コジ開けストライクだけを新品に取り替えれば良い。
【０００９】
錠種による説明。
錠にはデットボルトのみを持つ本締まり錠と、ラッチボルトのみを持つ施錠できない空錠と、デットボルトとラッチボルトを持つ一般的な玄関錠が有る。特殊な例としてラッチボルトが固定してデットボルトの役目を果たすものが有る。
コジ開け警報錠受けは施錠できない空錠には使用しない。
デットボルトや固定してデットボルトの役目を果たすものに対して使用する。
一個の錠にデットボルトとラッチボルトが有るものでは両方に対してバンパーを設けた錠受けを使用する。理由は、ラッチボルトに対してバンパーを設けなければ、通常のラッチボルト受け穴ではコジ開け時にラッチボルトがまず破損する。ラッチボルト受け穴の幅を大きく設けた場合は通常の戸締り時に扉のガタが大きくなる。
【図面の簡単な説明】
【図１】コジ開け警報錠受けを枠に取り付け、扉を閉じて施錠した状態の扉と枠の斜視図である。
【図２】Ａ　図１から扉を取り去った図である。
Ｂ　Ａ図の破線で示した部分の断面である。
【図３】Ａ　図１のＡＡ断面であり、錠受け本体とバンパーの付いたコジ開けストライクを組み合わせたコジ開け警報錠受けである。
Ｂ　コジ開けを受け、バンパーがデットボルトに押されて曲がり、バンパーが警報スイッチをＯＮした図である。
【図４】Ａ　コジ開け警報錠受けのセットを、トロカバーの一面を外した後方斜視図である。
Ｂ　Ａ図を、錠受け本体からコジ開けストライクを分離した図である。
【図５】Ａ　バンパーの形状と警報スイッチの形状を変えた請求項１記載の変形例で図１のＡＡ断面にあたる。
Ｂ　コジ開けを受け、バンパーがデットボルトに押されて曲がり、バンパーが警報スイッチをＯＮした図である。
【図６】Ａ　バンパーを錠受け本体に設けた請求項１記載の変形例で、図１のＡＡ断面にあたる。
Ｂ　コジ開けを受け、バンパーがデットボルトに押されて曲がり、バンパーが警報スイッチをＯＮした図である。
【図７】Ａ　バンパーをトロカバーに設けた請求項１記載の変形例で、図１のＡＡ断面にあたる。
Ｂ　コジ開けを受け、バンパーがデットボルトに押されて曲がり、バンパーが警報スイッチをＯＮした図である。
【図８】Ａ　警報スイッチをデットボルトが押す請求項１記載の変形例で、図１のＡＡ断面にあたる。
Ｂ　コジ開けを受け、バンパーがデットボルトに押されて曲がり、デットボルトが警報スイッチをＯＮした図である。
【図９】Ａ　コジ開けストライクがスライドし、警報スイッチをデットボルトが押す請求項１記載の変形例で、図１のＡＡ断面にあたる。
Ｂ　コジ開けを受け、コジ開けストライクがスライドし、デットボルトが、警報スイッチをＯＮした図である。
【図１０】図９のスライド式コジ開けストライクを錠受け本体から分離した斜視図で、ビス穴のスライド溝を説明する図である。
【図１１】Ａ　コジ開け警報スイッチの位置を変えた請求項１記載の変形例である。
Ｂ　コジ開けを受け、バンパーが曲がり、コジ開け警報スイッチがＯＮした図である。
【図１２】電池とブザーを持った請求項２記載のコジ開け警報スイッチの、図１のＡＡ断面にあたる図である。
【図１３】電池とブザーを持ったコジ開け警報スイッチの後方斜視図である。
【符号の説明】
１．　枠
２．　扉
３．　戸先補強機
４．　錠ケース取り付けステー
５．　ガードプレート
６．　錠ケース
７．　錠ケース取り付けビス
８．　シリンダー
９．　レバーハンドル
１０．　錠受け取り付けステー
１１．　コジ開けストライク
１２．　錠受け取り付けビス
１３．　コジ開けストライクのデットボルト受け穴
１４．　バンパー
１５．　コジ開けストライクのラッチボルト受け穴
１６．　ラッチバンパー
１７．　錠受け本体
１８．　トロカバー
１９．　デットボルト
２０．　エアタイトゴム
２１．　コジ開け警報スイッチ
２２．　プッシャー
２３．　施錠確認スイッチ
２４．　プッシャー
２５．　扉の元の位置
２６．　コジ開け幅
２７．　錠受け本体のデットボルト受け穴
２８．　錠受け本体のラッチボルト受け穴
２９．　デットボルト
３０．　バンパー
３１．　コジ開け警報スイッチ
３２．　プッシャー
３３．　錠受け本体
３４．　コジ開けストライク
３５．　トロカバー
３６．　デットボルト
３７．　トロカバー
３８．　錠受け本体
３９．　折り曲がる部分
４０．　バンパー
４１．　コジ開け警報スイッチ
４２．　プッシャー
４３．　デットボルト
４４．　トロカバー
４５．　錠受け本体
４６．　バンパー
４７．　コジ開け警報スイッチ
４８．　プッシャー
４９．　デットボルト
５０．　トロカバー
５１．　錠受け本体
５２．　コジ開けストライク
５３．　バンパー
５４．　コジ開け警報スイッチ
５５．　プッシャー
５６．　デットボルト
５７．　トロカバー
５８．　錠受け本体
５９．　コジ開けストライク
６０．　バンパー
６１．　コジ開け警報スイッチ
６２．　プッシャー
６３．　取り付けビス穴
６４．　錠受け本体のデットボルト受け穴
６５．　錠受け本体のラッチボルト受け穴
６６．　コジ開けストライクのデットボルト受け穴
６７．　コジ開けストライクのラッチボルト受け穴
６８．　取り付け座ぐり穴
６９．　スライド溝
７０．　デットボルト
７１．　バンパー
７２．　コジ開け警報スイッチ
７３．　プッシャー
７４．　コジ開け警報スイッチ
７５．　電池
７６．　ブザー
７７．　外部信号出力線
【図１】
2004044099.tif 000003
【図２】
2004044099.tif 000004
【図３】
2004044099.tif 000005
【図４】
2004044099.tif 000006
【図５】
2004044099.tif 000007
【図６】
2004044099.tif 000008
【図７】
2004044099.tif 000009
【図８】
2004044099.tif 000010
【図９】
2004044099.tif 000011
【図１０】
2004044099.tif 000012
【図１１】
2004044099.tif 000013
【図１２】
2004044099.tif 000014
【図１３】
2004044099.tif 000015